(57)【特許請求の範囲】
【請求項１】
上方に開放された成形凹部を有する雌型部材、該雌型部材の上方に配置され該雌型部材に対して相対的に昇降動されて、該雌型部材と協働して成形空間を規定する閉位置と該雌型部材から上方に離隔して位置する開位置とに選択的に位置される雄型部材、及び該雄型部材が該開位置に位置されている時に該雌型部材と該雄型部材との間に位置される合成樹脂素材搬入手段を具備し、該合成樹脂素材搬入手段は保持している合成樹脂素材を該雌型部材内に落下させる圧縮成形装置において、
該雌型部材は中央部材と該中央部材を囲繞する周縁部材とを含み、該周縁部材には上方に開放された凹部が形成されており、該中央部材はその上面が該周縁部材の該凹部と協働して該成形凹部を規定する通常位置と該通常位置よりも上方に移動された上昇位置との間を昇降動され、該合成樹脂素材搬入手段から合成樹脂素材が落下される際には該中央部材が該上昇位置に移動され合成樹脂素材は該中央部材の上面上に載置され、
該合成樹脂素材搬入手段は、保持している合成樹脂素材に下方に指向された気体流を作用させて合成樹脂素材を下方に強制する気体流噴射手段を備え、
該合成樹脂素材搬入手段から落下した合成樹脂素材が該雌型部材の該中央部材の上面上に到達した後も該気体流噴射手段による気体流の噴射による強制が継続されて合成樹脂素材が予備成形され、
該合成樹素材搬入手段には、該合成樹脂素材を挟持する挟持部材が設けられ、該挟持部材の下部には、下側へ向かって裾広がりの拡径部を形成した、
ことを特徴とする圧縮成形装置。
【請求項２】
上方に開放された成形凹部を有する雌型部材、該雌型部材の上方に配置され該雌型部材に対して相対的に昇降動されて、該雌型部材と協働して成形空間を規定する閉位置と該雌型部材から上方に離隔して位置する開位置とに選択的に位置される雄型部材、及び該雄型部材が該開位置に位置されている時に該雌型部材と該雄型部材との間に位置される合成樹脂素材搬入手段を具備し、該合成樹脂素材搬入手段は保持している合成樹脂素材を該雌型部材内に落下させる圧縮成形装置において、
該雌型部材は中央部材と該中央部材を囲繞する周縁部材とを含み、該周縁部材には上方に開放された凹部が形成されており、該中央部材はその上面が該周縁部材の該凹部と協働して該成形凹部を規定する通常位置と該通常位置よりも上方に移動された上昇位置との間を昇降動され、該合成樹脂素材搬入手段から合成樹脂素材が落下される際には該中央部材が該上昇位置に移動され合成樹脂素材は該中央部材の上面上に載置され、
該合成樹脂素材搬入手段は、保持している合成樹脂素材に作用して下方に強制する押下部材を備え、
該合成樹脂素材搬入手段から落下した合成樹脂素材が該雌型部材の該中央部材の上面上に到達した後も該押下部材による強制が継続されて合成樹脂素材が予備成形される、
該合成樹素材搬入手段には、該合成樹脂素材を挟持する挟持部材が設けられ、該挟持部材の下部には、下側へ向かって裾広がりの拡径部を形成した、
ことを特徴とする圧縮成形装置。
【請求項３】
成形凹部を有する雌型部材、該雌型部材に対して相対的に昇降動されて、該雌型部材と協働して成形空間を規定する閉位置と該雌型部材から離隔して位置する開位置とに選択的に位置される雄型部材、及び該雄型部材が該開位置に位置されている時に該雌型部材と該雄型部材との間に位置される合成樹脂素材搬入手段を具備し、該合成樹脂搬入手段は保持している合成樹脂素材を落下させる圧縮成形装置において、
該雌型部材の該成形凹部は下方に開放されており、該雄型部材は該雌型部材の下方に配置されており、該合成樹脂素材搬入手段から落下される合成樹脂素材は該雄型部材上に載置され、
該合成樹脂素材搬入手段は、保持している合成樹脂素材に下方に指向された気体流を作用させて合成樹脂素材を下方に強制する気体流噴射手段を備え、
該合成樹脂素材搬入手段から落下した合成樹脂素材が該雄型部材上に到達した後も該気体流噴射手段による気体流の噴射による強制が継続されて合成樹脂素材が予備成形される、
該合成樹素材搬入手段には、該合成樹脂素材を挟持する挟持部材が設けられ、該挟持部材の下部には、下側へ向かって裾広がりの拡径部を形成した、
ことを特徴とする圧縮成形装置。
【請求項４】
成形凹部を有する雌型部材、該雌型部材に対して相対的に昇降動されて、該雌型部材と協働して成形空間を規定する閉位置と該雌型部材から離隔して位置する開位置とに選択的に位置される雄型部材、及び該雄型部材が該開位置に位置されている時に該雌型部材と該雄型部材との間に位置される合成樹脂素材搬入手段を具備し、該合成樹脂搬入手段は保持している合成樹脂素材を落下させる圧縮成形装置において、
該雌型部材の該成形凹部は下方に開放されており、該雄型部材は該雌型部材の下方に配置されており、該合成樹脂素材搬入手段から落下される合成樹脂素材は該雄型部材上に載置され、
該合成樹脂素材搬入手段は、保持している合成樹脂素材に作用して下方に強制する押下部材を備え、
該合成樹脂素材搬入手段から落下した合成樹脂素材が該雄型部材上に到達した後も該押下部材による強制が継続されて合成樹脂素材が予備成形される、
該合成樹素材搬入手段には、該合成樹脂素材を挟持する挟持部材が設けられ、該挟持部材の下部には、下側へ向かって裾広がりの拡径部を形成した、
ことを特徴とする圧縮成形装置。
【請求項５】
該合成樹脂素材搬入手段と前記雌型部材は互いに回転移動し又は該合成樹脂素材搬入手段と前記雄型部材は互いに回転移動し、該合成樹脂素材搬入手段と該雌型部材の互いの軌道が樹脂供給域に移動したとき又は該合成樹脂素材搬入手段と該雄型部材の互いの軌道が樹脂供給域に移動したとき、該挟持部材が挟持している合成樹脂素材を該雌型部材の中央部材の上面上又は雄型部材上に落下させるようにした請求項１〜４のいずれかに記載の圧縮成形装置。
【発明の詳細な説明】
【技術分野】
【０００１】
本発明は、合成樹脂で圧縮成形される蓋、容器、容器のプリフォームなどを圧縮成形する圧縮成形装置に関する。
【背景技術】
【０００２】
飲料等のための容器として、ポリエステル、ポリエチレンテレフタレート（ＰＥＴ）のような合成樹脂から形成された合成樹脂製容器が広く実用に供されている。ブロー成形することによって合成樹脂製容器にされる前成形体（プリフォーム）は、圧縮成形装置を用いた圧縮成形によって成形が可能である。このような圧縮成形の遂行に際し、押出機のダイヘッドの吐出口から押し出された溶融状態の合成樹脂は、樹脂供給装置によって圧縮成形装置に供給される。圧縮成形装置では、溶融状態の合成樹脂を圧縮成形して前成形体を成形し、次いでかかる前成形体をブロー成形することによって、ボトルを形成することができる。
【０００３】
下記の特許文献１には、前成形体の圧縮成形方法が開示されている。かかる圧縮成形方法においては、押出機の押出開口から押し出された溶融状態の合成樹脂をカッターで切断し、切断された合成樹脂（ドロップ）を圧縮成形装置の樹脂供給域に搬送している。樹脂供給域では、所定案内位置に位置させている案内手段を通して切断された合成樹脂を、開状態にある成形型の上方に開放された凹部内に、落下するようにしている。そして、成形型を閉状態にし、凹部内に落下された合成樹脂を所定形状に圧縮成形している。
【０００４】
上述の合成樹脂の案内手段は、下方に向かって断面積が漸次減少する逆円錐台形状の上部案内路と上部案内路に続く直立筒形状の下部案内路とを有している。下部案内路の断面形状は、上部案内路の下端の断面形状と実質上同一である。案内手段を通して、成形型の凹部内に合成樹脂を落下させる際には、案内手段はその上部案内路及び下部案内路の中心軸線を凹部の中心軸線に合致させた案内位置に位置するようにし、合成樹脂は案内手段の上部案内路及び下部案内路を通る際に、凹部の中心位置に位置合わせされる。
【特許文献１】特開２０００−２８０２４８号公報（溶融樹脂の位置合わせに関する記載がある）
【特許文献２】特表２００７−５０８９６６号公報（雄型を下型とし雌型を上型とする記載がある）
【特許文献３】特公平６−２３５９号公報（雄型を下型とし雌型を上型とする内容がある）
【発明の開示】
【発明が解決しようとする課題】
【０００５】
しかしながら、特許文献１に開示されている圧縮成形方法には、次のとおりの解決すべき問題が存在することが判明した。例えば広口容器を成形するための前成形体を圧縮成形する成形型においては、凹部の内径が比較的大きく、切断された合成樹脂の外径に対して凹部の内径が相当大きくなる。特に合成樹脂の外径に対して凹部の内径が相当大きい場合に、案内手段を通ることによって一旦は凹部の中心に位置合わせされた合成樹脂が、凹部内に落下した後に凹部の中心に対して移動し、凹部内に偏って位置されてしまう傾向がある。
【０００６】
本発明はこのような事情に鑑みてなされたものであり、成形型における凹部内の合成樹脂の偏りを充分に抑制して合成樹脂を凹部内に所要とおりに位置させ、さらには圧縮成形する合成樹脂の形状をこれから成形しようとする成形体又は前成形体の形状に成形しやすくすることができる圧縮成形装置を提供することを目的とする。
【課題を解決するための手段】
【０００７】
上記目的を達成するために、本発明の圧縮成形装置は、上方に開放された成形凹部を有する雌型部材、該雌型部材の上方に配置され該雌型部材に対して相対的に昇降動されて、該雌型部材と協働して成形空間を規定する閉位置と該雌型部材から上方に離隔して位置する開位置とに選択的に位置される雄型部材、及び該雄型部材が該開位置に位置されている時に該雌型部材と該雄型部材との間に位置される合成樹脂素材搬入手段を具備し、該合成樹脂素材搬入手段は保持している合成樹脂素材を該雌型部材内に落下させる圧縮成形装置において、
該雌型部材は中央部材と該中央部材を囲繞する周縁部材とを含み、該周縁部材には上方に開放された凹部が形成されており、該中央部材はその上面が該周縁部材の該凹部と協働して該成形凹部を規定する通常位置と該通常位置よりも上方に移動された上昇位置との間を昇降動され、該合成樹脂素材搬入手段から合成樹脂素材が落下される際には該中央部材が該上昇位置に移動され合成樹脂素材は該中央部材の上面上に載置され、
該合成樹脂素材搬入手段は、保持している合成樹脂素材に下方に指向された気体流を作用させて合成樹脂素材を下方に強制する気体流噴射手段を備え、
該合成樹脂素材搬入手段から落下した合成樹脂素材が該雌型部材の該中央部材の上面上に到達した後も該気体流噴射手段による気体流の噴射による強制が継続されて合成樹脂素材が予備成形され、
該合成樹素材搬入手段には、該合成樹脂素材を挟持する挟持部材が設けられ、該挟持部材の下部には、下側へ向かって裾広がりの拡径部を形成した。
また、上記目的を達成するために、本発明の圧縮成形装置は、上方に開放された成形凹部を有する雌型部材、該雌型部材の上方に配置され該雌型部材に対して相対的に昇降動されて、該雌型部材と協働して成形空間を規定する閉位置と該雌型部材から上方に離隔して位置する開位置とに選択的に位置される雄型部材、及び該雄型部材が該開位置に位置されている時に該雌型部材と該雄型部材との間に位置される合成樹脂素材搬入手段を具備し、該合成樹脂素材搬入手段は保持している合成樹脂素材を該雌型部材内に落下させる圧縮成形装置において、
該雌型部材は中央部材と該中央部材を囲繞する周縁部材とを含み、該周縁部材には上方に開放された凹部が形成されており、該中央部材はその上面が該周縁部材の該凹部と協働して該成形凹部を規定する通常位置と該通常位置よりも上方に移動された上昇位置との間を昇降動され、該合成樹脂素材搬入手段から合成樹脂素材が落下される際には該中央部材が該上昇位置に移動され合成樹脂素材は該中央部材の上面上に載置され、
該合成樹脂素材搬入手段は、保持している合成樹脂素材に作用して下方に強制する押下部材を備え、
該合成樹脂素材搬入手段から落下した合成樹脂素材が該雌型部材の該中央部材の上面上に到達した後も該押下部材による強制が継続されて合成樹脂素材が予備成形される、
該合成樹素材搬入手段には、該合成樹脂素材を挟持する挟持部材が設けられ、該挟持部材の下部には、下側へ向かって裾広がりの拡径部を形成した。
上記目的を達成するために、本発明の圧縮成形装置は、成形凹部を有する雌型部材、該雌型部材に対して相対的に昇降動されて、該雌型部材と協働して成形空間を規定する閉位置と該雌型部材から離隔して位置する開位置とに選択的に位置される雄型部材、及び該雄型部材が該開位置に位置されている時に該雌型部材と該雄型部材との間に位置される合成樹脂素材搬入手段を具備し、該合成樹脂搬入手段は保持している合成樹脂素材を落下させる圧縮成形装置において、
該雌型部材の該成形凹部は下方に開放されており、該雄型部材は該雌型部材の下方に配置されており、該合成樹脂素材搬入手段から落下される合成樹脂素材は該雄型部材上に載置され、
該合成樹脂素材搬入手段は、保持している合成樹脂素材に下方に指向された気体流を作用させて合成樹脂素材を下方に強制する気体流噴射手段を備え、
該合成樹脂素材搬入手段から落下した合成樹脂素材が該雄型部材上に到達した後も該気体流噴射手段による気体流の噴射による強制が継続されて合成樹脂素材が予備成形される、
該合成樹素材搬入手段には、該合成樹脂素材を挟持する挟持部材が設けられ、該挟持部材の下部には、下側へ向かって裾広がりの拡径部を形成した。
上記目的を達成するために、本発明の圧縮成形装置は、成形凹部を有する雌型部材、該雌型部材に対して相対的に昇降動されて、該雌型部材と協働して成形空間を規定する閉位置と該雌型部材から離隔して位置する開位置とに選択的に位置される雄型部材、及び該雄型部材が該開位置に位置されている時に該雌型部材と該雄型部材との間に位置される合成樹脂素材搬入手段を具備し、該合成樹脂搬入手段は保持している合成樹脂素材を落下させる圧縮成形装置において、
該雌型部材の該成形凹部は下方に開放されており、該雄型部材は該雌型部材の下方に配置されており、該合成樹脂素材搬入手段から落下される合成樹脂素材は該雄型部材上に載置され、
該合成樹脂素材搬入手段は、保持している合成樹脂素材に作用して下方に強制する押下部材を備え、
該合成樹脂素材搬入手段から落下した合成樹脂素材が該雄型部材上に到達した後も該押下部材による強制が継続されて合成樹脂素材が予備成形される、
該合成樹素材搬入手段には、該合成樹脂素材を挟持する挟持部材が設けられ、該挟持部材の下部には、下側へ向かって裾広がりの拡径部を形成した。
また、上記圧縮成形装置は、該合成樹脂素材搬入手段と前記雌型部材は互いに回転移動し又は該合成樹脂素材搬入手段と前記雄型部材は互いに回転移動し、該合成樹脂素材搬入手段と該雌型部材の互いの軌道が樹脂供給域に移動したとき又は該合成樹脂素材搬入手段と該雄型部材の互いの軌道が樹脂供給域に移動したとき、該挟持部材が挟持している合成樹脂素材を該雌型部材の中央部材の上面上又は雄型部材上に落下させるようにした。
【発明の効果】
【０００８】
本発明は、雌型部材の中央部材が昇降動するので、合成樹脂素材搬入手段から中央部材に合成樹脂素材を落下させるときに、中央部材を上昇位置に配置することによって、合成樹脂素材搬入手段と中央部材の上面との距離を短縮して、落下距離を短くすることで正確な位置に合成樹脂素材を配置することができる。また、雄型部材を下型にすることで、合成樹脂の落下距離を短くできるので、雄型部材上に正確に合成樹脂素材を落下させることができる。
上記圧縮成形装置は、該合成樹脂素材搬入手段から落下した合成樹脂素材が該雌型部材の該中央部材の上面上に或いは該雄型部材上に到達した後も該気体流噴射手段による気体流の噴射或いは該押下部材による強制が継続されて合成樹脂素材が予備成形されるので、予め合成樹脂素材が圧縮成形されやすい形状に成形され、位置ズレもないことから圧縮成形時の合成樹脂素材の方向性もよく、均一に周囲に拡がることができる。
【発明を実施するための最良の形態】
【０００９】
以下、本発明の第１の実施形態による圧縮成形装置について、図面を参照しながら説明する。
図１には、本発明の圧縮成形方法の好適実施形態を実施するための成形システム１の概略平面図、図２は図１の成形システムの一部を示す部分拡大平面図である。
この成形システム１は、押出機２、合成樹脂供給装置３、圧縮成形装置４及び搬出装置５を備えている。
押出機２は、ほぼ筒状の外形を有しており、ＰＰ、ＰＥＴ等の合成樹脂素材を加熱溶融及び混練して、溶融樹脂を生成する。押出機２の先端側は、実線で示す非作用位置と二点鎖線で示す作用位置との間を移動自在に装着されている押出ノズル７を含んでおり、この押出ノズル７にはその先端部下面に形成されている図３のＡ及びＢに示す押出開口２０まで延びる樹脂流路が形成されている。すなわち、押出機２は溶融合成樹脂８を押出ノズル７に連続的に送出し、押出機２から送出された合成樹脂８が押出開口２０から押し出される。成形システム１の作動時では、押出ノズル７は図１の二点鎖線で示す作用位置に位置し、非作動時に実線で示す非作用位置に待機されている。
【００１０】
図１及び図２を参照して説明すると、合成樹脂供給装置３は矢印ａで示す方向に回転駆動する回転円盤１１を含んでいる。この回転円盤１１の周縁には、周方向に等間隔をおいて複数個の切断・保持ユニット１４が配設されている。回転円盤１１の回転に応じて、切断・保持ユニット１４は回転円盤１１の周縁に沿って延在する円形搬送径路を通して搬送され、上記押出ノズル７の押出開口２０に対向してその直ぐ下方に位置する受入域１８、及び圧縮成形装置４の所定部位（後に詳述する如く、雌型における凹部）に対向してその上方に位置する樹脂供給域２１を通して搬送される。
【００１１】
図２と共に図３を参照して説明を続けると、切断・保持ユニット１４の各々は、カッター１７、第１の挟持部材１５及び第２の挟持部材１６を有する。第１の挟持部材１５と第２の挟持部材１６とは協働して、移動方向前面と共に上面及び下面が開放された受入空間を規定している。第２の挟持部材１６は、図３のＡに示す第１の挟持部材１５から離隔する開放位置と、図３のＢに示す第１の挟持部材１５に接近する挟持位置との間を適宜に移動することができる。
カッター１７は、受入空間の上方を横方向に延びている。切断・保持ユニット１４が受入域１８を通過する際には、図３のＡに示すように、第２の挟持部材１６は開放位置にあり、押出ノズル７の押出開口２０から押し出されている溶融状態の合成樹脂８が受入空間内に受け入れられる。
【００１２】
カッター１７はその上面が押出ノズル７の下面に接触乃至近接して移動され、押出ノズル７の下面と協働して、押出開口２０から押し出されている合成樹脂８を切断する。カッター１７が合成樹脂８を切断し始めた後の適宜の時点で、図３のＢに示すように、第２の挟持部材１６が挟持位置に移動され、こうして押出開口２０から切断された切断合成樹脂８が、第１の挟持部材１５と第２の挟持部材１６との間に挟持される。
切断・保持ユニット１４が樹脂供給域２１を通過する際には、第２の挟持部材１６が開放位置に移動され、第１の挟持部材１５と第２の挟持部材１６との協働による合成樹脂８の挟持が開放され、合成樹脂８が下方の圧縮成形装置の図４に示す雌型３１に落下される。
【００１３】
図４は、本発明の第１の実施形態における金型３０を示し、金型３０は雌型３１と雄型３２とから構成され、雌型３１は雌型本体３３と可動ロッド３４とを備えている。
雌型３１は中央部材である円柱形状の可動ロッド３４と該可動ロッド３４を囲繞する雌型本体３３とを含み、該雌型本体３３には上方に開放された凹部３３ｃが形成されている。可動ロッド３４は、その載置面３４ａが雌型本体３３の凹部３３ｃと協働して、図４及び図５のＤに示すキャビティー孔３３ａを形成する。可動ロッド３４は、図５のＤに示す通常位置（下降位置）と該通常位置よりも上方に移動された図５のＡに示す上昇位置との間を昇降動される。可動ロッド３４の上端部は、上方へ突出する緩やかな円弧形状に形成された合成樹脂８の載置面３４ａを形成している。
雄型３２は、雄型本体３５と雄型本体３５の中央部に配設されているコア型３６とを備えている。雄型３２は図示しない駆動手段によって、上下に摺動することができる。
【００１４】
図５のＢ及びＣに示すように、上述の切断・保持ユニット１４の合成樹脂８を保持する第１の挟持部材１５と第２の挟持部材１６で形成される合成樹脂８の保持する部位の上方には、気体の噴き出しノズル３７を配設し、噴き出しノズル３７には図示しない気体の供給手段に接続されている。噴き出しノズル３７から噴出される気体は不活性ガスやエアなどの圧縮気体が排出される。第１の挟持部材１５及び第２の挟持部材１６の下部には、下側へ向かって裾拡がりの拡径部３８が形成されている。
【００１５】
次に、本発明の第１の実施形態における圧縮成形装置の作用について説明する。
上述した構成により、押出機２は、ポリエチレンテレフタレート等の合成樹脂素材を加熱溶融及び混練して、合成樹脂８を押出ノズル７に搬送する。押出ノズル７の押出開口２０から押し出された合成樹脂８は、カッター１７によって切断され、押出開口２０から切り離される。合成樹脂８が切り離された時には、第１及び第２の挟持部材１５，１６を閉じることによって合成樹脂８を保持する。閉状態の切断・保持ユニット１４に保持された溶融樹脂８は、圧縮成形装置４の雌型３１の上方位置まで移動させられる。
【００１６】
雌型３１では、予め図５のＡに示すように、可動ロッド３４が上昇位置に待機した状態に配置する。切断・保持ユニット１４が圧縮成形装置４の雌型３１が同一軌道上である樹脂供給域２１（図２参照）に移動したときに、図５のＢに示すように、切断・保持ユニット１４は、雌型３１の上方に位置する。このとき、合成樹脂８を載置する可動ロッド３４の載置面３４ａが合成樹脂８に近接した位置に配置され、互いの軌道が樹脂供給域２１に移動したときに、切断・保持ユニット１４の第１及び第２の挟持部材１５，１６を開状態にして、図５のＣに示すように、切断・保持ユニット１４から可動ロッド３４の載置面３４ａ上に合成樹脂８が落下される。
この際、噴き出しノズル３７から圧縮空気を合成樹脂８の任意の部位に噴出し、合成樹脂８の形状を整えるとともに、合成樹脂８の位置決めを行う。この合成樹脂８の予備成形は、例えば、合成樹脂８の圧縮時に拡げられる方向（溶融樹脂が拡がりにくい方向があれば、その方向）へ合成樹脂８の形状を予備成形するとよい。この際、第１及び第２の挟持部材１５，１６の下部には、拡径部３８が形成されているので、合成樹脂８の予備成形を妨げることがない。
【００１７】
その後、図５のＤに示すように、切断・保持ユニット１４が、金型３０の軌道上から離れ、可動ロッド３４が下降位置まで、合成樹脂８とともに下降する。合成樹脂８は、形状が整えられ、可動ロッド３４上の載置面３４ａに付着するように保持されているので、合成樹脂８の位置ズレを防止できる。また、合成樹脂８の落下距離が短いので正確な位置に合成樹脂８を配置することができる。
次いで、雄型３２が下降することによって、雄型３２が雌型３１の上に重ねられ、雄型３２とともにコア型３６が下降して合成樹脂８が圧縮されることによって、容器の圧縮成形が行われる。圧縮成形時では、予め合成樹脂８が圧縮成形されやすい形状に成形され、位置ズレもないことから圧縮成形時の溶融樹脂８の方向性もよく、均一に周囲に拡がることができる。
圧縮成形された、容器（又は蓋、プリフォームなど）は、冷却後に金型３０からとりだされる。
【００１８】
なお、本実施形態では、合成樹脂８は一層（一種類）の溶融樹脂を用いたが、中心のコア層とコア層の周りにシェル層を有する二層以上の合成樹脂を用いて（特許文献１を参照）、本実施形態と同様な方法で圧縮成形をすることができる。特に、そのような二層以上の合成樹脂は、例えば機械的特性及び衛生性に優れた外側層内にガスバリア性に優れた内側層が包み込まれている構造である場合、合成樹脂の雌型内での偏りは、合成樹脂のコア層が均一に拡がらないという重大な問題を発生させる。本実施形態によれば、多層構造の合成樹脂を圧縮成形するにも好適な効果を有する。これについては、以下に述べる他の実施形態も同様である。
【００１９】
次に、本発明の第２の実施形態について説明する。
なお、本実施形態では、上記第１の実施形態に対して金型３０のみが異なるので、この異なる構成部分についてのみ説明する。
図６の金型４０は、図６のＡに示すように、雄型４２を下型に配置し雌型４１を上型に配置した例である。雄型４２は中心部に上側に突出するパンチ本体４３が設けられ、パンチ本体４３の上部に下側へ円弧状に窪む凹部４３ａを形成している。雌型４１は、中央にキャビティー孔４１ａを形成している。
このような構成により、待機状態にある雄型４２のパンチ本体４３の上方へ、図６のＢに示すように切断・保持ユニット１４が搬送されたときにパンチ本体４３の凹部４３ａに合成樹脂８が近接した位置に配置される。このようにそれらの互いの軌道が樹脂供給域２１（図２参照）に移動したときに、切断・保持ユニット１４の第１及び第２の挟持部材１５，１６を開状態にして、図６のＣに示すように、切断・保持ユニット１４からパンチ本体４３の凹部４３ａ上に合成樹脂８が落下される。この際、雄型４２が下型にあるので、合成樹脂８の落下距離が短く凹部４３ａの正確な位置に合成樹脂８を配置することができる。
【００２０】
この際、噴き出しノズル３７から圧縮空気が合成樹脂８の任意の部位に噴出し、合成樹脂８は、形状が整えられ、パンチ本体４３の凹部４３ａに付着するように保持されているので、合成樹脂８の位置ズレを防止できる。
合成樹脂８が予備成形された後は、図６のＤに示すように、切断・保持ユニット１４が金型４０から離れる。成形時では、予め合成樹脂８が圧縮成形されやすい形状に成形され、位置ズレもないことから圧縮成形時の方向性もよく、均一に周囲に拡がることができる。
圧縮成形された、容器（又は蓋、プリフォームなど）は、冷却後に金型４０からとりだされる。
【００２１】
次に、本発明の第３の実施形態について、図７及び図８を参照にして説明し、上記第１の実施形態と同じ部分については同一符合を付して説明する。
なお、本実施形態では、上記第１の実施形態で説明した金型３０（図４参照）と同じ金型を用いており、異なるのは切断・保持ユニット１４に備えた噴き出しノズル３７を廃止し、昇降ロッド５１を金型に備えている。
図７に示すように、雌型３１は雌型本体３３と可動ロッド３４とを備えている。雌型本体３３は、中央部の上側にキャビティー孔３３ａ（図７のＤ参照）と該キャビティー孔３３ａの下部に連通する摺動孔３３ｂが形成され、円柱形状の可動ロッド３４は摺動孔３３ｂを駆動手段によって上下動することができ、図７のＡに示す上方位置と、図７のＤに示す下方位置に位置することができる。可動ロッド３４の上端部は、上方へ突出する緩やかな円弧形状に形成された合成樹脂８の載置面３４ａを形成している。
【００２２】
雌型３１の上部には、軸を上下方向に向けた昇降ロッド５１が配設され、昇降ロッド５１の先（下）端部には、合成樹脂８を雌型側へ押し込むプッシャー５１ａが取付けられている。昇降ロッド５１は、上下動することができ、プッシャー５１ａと可動ロッド３４の載置面３４ａと対向して配置され、本実施形態では昇降ロッド５１と可動ロッド３４の軸心を一直線上に一致させている。図７のＢに示すように、切断・保持ユニット１４と雌型３１との軌道を一致させたときには、昇降ロッド５１と雌型３１との間に、切断・保持ユニット１４を配置することができる。昇降ロッド５１のプッシャー５１ａは、切断・保持ユニット１４の合成樹脂８の保持部を挿通するように構成されている。
図８は、プッシャー５１の形態を示しており、図８のＡに示すプッシャー５１ａの先端形状は平面であり、図８のＢに示すプッシャー５１ｂの先端形状は凸球面形状であり、図８のＣに示すプッシャー５１ｃの先端形状は、凹球面形状に形成されたものなどが使用できるが、成形体の形状によって適宜異なる。なお、昇降ロッド５１は、切断・保持ユニット１４に取付けることもできる。
【００２３】
このような構成により、雌型３１では、予め図７のＡに示すように、可動ロッド３４が上昇位置に待機した状態で、昇降ロッド５１を上昇位置に配置する。切断・保持ユニット１４が圧縮成形装置４の雌型３１の上方に位置したとき、図７のＢに示すように、合成樹脂８を載置する可動ロッド３４の載置面３４ａが合成樹脂８に近接した位置に配置される。すると、第１及び第２の挟持部材１５，１６が開状態になり、可動ロッド３４の載置面３４ａに合成樹脂８を落とし込む。そして、昇降ロッド５１が下降し、第１及び第２の挟持部材１５，１６の内部に挿入され、合成樹脂８をプッシャー５１ａの先端面の形状に応じて、予備成形することができる。例えば、合成樹脂８の圧縮成形時に拡げられる方向（溶融樹脂が拡がりにくい方向があれば、その方向）へ向かって合成樹脂８の形状を予備成形するとよい。この際、第１及び第２の挟持部材１５，１６の下部には、拡径部３８が形成されているので、合成樹脂８の変形を妨げることがない。
【００２４】
その後、昇降ロッド５１が上昇位置に戻り、切断・保持ユニット１４が図７のＤに示すよう雌型３１の上部位置から離れ、可動ロッド３４が下降位置まで、合成樹脂８とともに下降する。合成樹脂８は、形状が整えられ、可動ロッド３４上の載置面３４ａに付着するように保持されているので、合成樹脂８の位置ズレを防止できる。また、合成樹脂８の落下距離が短いので、載置面３４ａの正確な位置に合成樹脂８を配置することができる。
次いで、雄型３２が下降することによって、雄型３２が雌型３１の上に重ねられ、コア型３６が下降して合成樹脂８が圧縮されることによって、容器の成形が行われる。成形時では、予め合成樹脂８が圧縮成形されやすい形状に成形され、位置ズレもないことから圧縮成形時の方向性もよく、均一に周囲に拡がることができる。
圧縮成形された、容器（又は蓋、プリフォームなど）は、冷却後に金型３０からとりだされる。
【００２５】
次に、本発明の第４の実施形態について説明する。
なお、本実施形態では、上記第２の実施形態に対して噴き出しノズル３７に代えて、上記第３の実施形態の昇降ロッド５１を用いた例である。
図の金型４０は、図９のＤに示すように、雄型４２を下型に配置し雌型４１を上型に配置した例である。雄型４２は中心部に上側に突出するパンチ本体４３が設けられ、パンチ本体４３の上部に下側へ窪む凹部４３ａを形成している。雌型４１は、中央にキャビティー孔４１ａを形成している。
雄型４２の上部には、軸を上下方向に向けた昇降ロッド５１が配設され、昇降ロッド５１の先（下）端部には、合成樹脂８を雄型側へ押し込むプッシャー５１ａが取付けられている。昇降ロッド５１は、上下動することができ、プッシャー５１ａとパンチ本体４３の凹部４３ａと対向して配置され、図９のＢに示すように、切断・保持ユニット１４と雄型４２との軌道を一致させたときには、昇降ロッド５１と雄型４２との間に、切断・保持ユニット１４を配置することができる。昇降ロッド５１のプッシャー５１ａは、切断・保持ユニット１４の合成樹脂８の保持部を挿通するように構成されている。
【００２６】
このような構成により図９のＢに示すように、待機状態にある雄型４２のパンチ本体４３の上方へ切断・保持ユニット１４が搬送されたときにパンチ本体４３の凹部４３ａに合成樹脂８が近接した位置に配置される。そして、互いの軌道が樹脂供給域２１（図２参照）に移動したときに、切断・保持ユニット１４の第１及び第２の挟持部材１５，１６を開状態にして、図６のＣに示すように、パンチ本体４３の凹部４３ａ上に合成樹脂８が落下される。合成樹脂８の落下距離が短いので正確な位置に合成樹脂８を配置することができる。
【００２７】
次いで、図９のＣに示すように、昇降ロッド５１が下降し、第１及び第２の挟持部材１５，１６の内部に挿入され、合成樹脂８をパンチ本体４３の凹部４３ａに押圧する。この際、昇降ロッド５１のプッシャー５１ａの先端面の形状に応じて、合成樹脂８を予備成形することができる。この際、第１及び第２の挟持部材１５，１６の下部には、拡径部３８が形成されているので、合成樹脂８の変形を妨げることがない。
【００２８】
その後、昇降ロッド５１が上昇位置に戻り、切断・保持ユニット１４及び昇降ロッド５１が図７のＤに示すように雄型３１の軌道上から離れる。このように、合成樹脂８は、形状が整えられ、パンチ本体４３の凹部４３ａに付着するように保持されているので、合成樹脂８の位置ズレを防止できる。また、合成樹脂８の落下距離が短いので正確な位置に合成樹脂８を配置することができる。
次いで、雌型３１が下降することによって、雄型３２の上に雌型３１が重ねられ、合成樹脂８が圧縮されることによって、容器の成形が行われる。成形時では、予め合成樹脂８が圧縮成形されやすい形状に成形され、位置ズレもないことから圧縮成形時の方向性もよく、均一に周囲に拡がることができる。
圧縮成形された、容器（又は蓋、プリフォームなど）は、冷却後に金型３０からとりだされる。
【００２９】
以上、本発明の実施形態について説明したが、本発明の技術的思想に基づいて、勿論、本発明は種々の変形又は変更が可能である。
さらには、本圧縮成形装置は、切断・保持ユニット１４や金型が多数、連続回転するものに限らず、１個取りでもよいし、直線搬送形式でも適用可能である。
【図面の簡単な説明】
【００３０】
【図１】本発明の圧縮成形方法の好適実施形態を実施するための成形システム１の概略平面図である。
【図２】図２は図１の成形システムの一部を示す部分拡大平面図である。
【図３】図２の成形システムにおける合成樹脂供給装置のノズルと切断・保持ユニットを示し、Ａは第１及び第２の挟持部材が開いた状態の断面図、Ｂは第１及び第２の挟持部材が閉じた状態の断面図である。
【図４】図２の圧縮成形装置の金型であり、本発明の第１及び第３の実施形態における金型の断面図である。
【図５】本発明の第１の実施形態において、合成樹脂の形状を圧縮空気で予備成形している状態であって、Ａは可動ロッドを上昇させた待機状態の断面図、Ｂは合成樹脂を雌型に搬送させた状態の断面図、Ｃは合成樹脂を可動ロッドに落下させて予備成形した状態の断面図、Ｄは可動ロッドを下降させた状態の断面図である。
【図６】本発明の第２の実施形態の合成樹脂の形状を圧縮空気で予備成形している状態であって（雄型が下型）、Ａは雄型の待機状態の断面図、Ｂは合成樹脂を雄型に搬送させた状態の断面図、Ｃは合成樹脂を雄型に落下させて圧縮空気で合成樹脂を予備成形した状態の断面図、Ｄは雄型に合成樹脂を搬送させた状態の断面図である。
【図７】本発明の第３の実施形態の合成樹脂の形状をプッシャーで予備成形している状態であって、Ａは可動ロッドを上昇させた待機状態の断面図、Ｂは合成樹脂を雌型に搬送させた状態の断面図、Ｃは合成樹脂を可動ロッドに落下させて予備成形した状態の断面図、Ｄは可動ロッドを下降させた状態の断面図である。
【図８】図７のプッシャーの形状を示し、Ａは先端形状が平面であるプッシャーの断面図、Ｂは先端形状が凸球面形状であるプッシャーの断面図、Ｃは先端形状が凹球面形状のプッシャーの断面図である。
【図９】本発明の第４の実施形態の合成樹脂の形状をプッシャーで予備成形している状態であって（雄型が下型）、Ａは雄型の待機状態の断面図、Ｂは合成樹脂を雄型に搬送させた状態の断面図、Ｃは合成樹脂を雄型に落下させてプッシャーで合成樹脂を予備成形した状態の断面図、Ｄは雄型に合成樹脂を搬送させた状態の断面図である。
【符号の説明】
【００３１】
１  成形システム
２  押出機
３  合成樹脂供給装置
４  圧縮成形装置
８  合成樹脂
１４  切断・保持ユニット
１５  第１の挟持部材
１６  第２の挟持部材
３０  金型
３１  雌型
３２，４２  雄型
３３ａ，４１ａ  キャビティー孔
３４  可動ロッド
３５  雄型本体
３６  コア型
３７  噴き出しノズル
５１  昇降ロッド
【図１】
0005023964.tif 000002
【図２】
0005023964.tif 000003
【図３】
0005023964.tif 000004
【図４】
0005023964.tif 000005
【図５】
0005023964.tif 000006
【図６】
0005023964.tif 000007
【図７】
0005023964.tif 000008
【図８】
0005023964.tif 000009
【図９】
0005023964.tif 000010